(57)【要約】【課題】  ボルトの回り止め機能に対する信頼性を向上させる。【解決手段】  耕耘爪締結装置１は、耕耘爪８５の基部８６に設けられた一対の連通孔８７，８８からフランジ８１に設けられた一対の各爪取付孔８２，８３に挿通されてナット４０と螺合して耕耘爪８５の基部８６をフランジ８１に固着する２本のボルト１０と、２本のボルト１０と一体的に結合される結合板３０とを備える。結合板３０は、両側部にボルト１０のボルト軸部１１を挿通する挿通孔３１と、ボルト頭部１３の座面１３ａに対向する対向面３２に設けられた溶接用突起３４とを有する。結合板３０の挿通孔３１にボルト１０のボルト軸部１１を挿通して、溶接用突起３４をボルト頭部１３の座面１３ａに溶着させて、２本のボルト１０と結合板３０とを一体的に結合される。【選択図】  図２
2006230306.tif 000002
【特許請求の範囲】
【請求項１】
耕耘軸に設けられたフランジに耕耘爪を取り付ける耕耘爪締結装置であって、
前記耕耘爪の基部に設けられた一対の連通孔から前記フランジに設けられた一対の各爪取付孔に挿通されてナットと螺合して前記耕耘爪の基部を前記フランジに固着する２本のボルトと、
前記２本のボルトと一体的に結合される結合板とを備え、
該結合板は、両側部に前記ボルトのボルト軸部を挿通する挿通孔を有し、
前記ボルト頭部の座面又は前記結合板の前記ボルト頭部の座面に対向する対向面に溶接用突起を設け、
前記結合板の前記挿通孔に前記ボルトのボルト軸部を挿通して、前記溶接用突起を前記対向面又は前記ボルト頭部の座面に溶着させて、前記２本のボルトと前記結合板とが一体的に結合されていることを特徴とする耕耘爪締結装置。
【請求項２】
前記溶接用突起は、前記ボルト頭部の対角位置に設けられていることを特徴とする請求項１に記載の耕耘爪締結装置。
【請求項３】
耕耘軸に設けられたフランジに耕耘爪を取り付ける耕耘爪締結装置であって、
前記耕耘爪の基部に設けられた一対の連通孔から前記フランジに設けられた一対の各爪取付孔に挿通されてナットと螺合して前記耕耘爪の基部を前記フランジに固着する２本のボルトと、
前記２本のボルトと一体的に結合される結合板とを備え、
該結合板は、両側部に前記ボルトのボルト軸部を挿通する挿通孔を有し、
前記ボルト頭部の側面に該ボルト頭部の座面に延びる溶接用切り欠き部を設け、
前記結合板の前記挿通孔に前記ボルトのボルト軸部を挿通し、前記溶接用切り欠き部と前記結合板との間をすみ肉溶接して、前記２本のボルトと前記結合板とが一体的に結合されていることを特徴とする耕耘爪締結装置。
【発明の詳細な説明】
【技術分野】
【０００１】
本発明は、圃場を耕耘する耕耘ロータリの耕耘軸に耕耘爪を取り付けるための耕耘爪締結装置に関する。
【背景技術】
【０００２】
従来、圃場を耕耘する耕耘ロータリの耕耘軸に耕耘爪を取り付ける構造としては、耕耘爪の基部に設けられた一対の連通孔から耕耘軸に固着されたフランジに設けられた一対の各爪取付孔にボルトを挿通してナットと螺合して耕耘爪の基部をフランジに固着する構造が知られている。
【０００３】
この耕耘爪取付構造によれば、フランジに耕耘爪を取り付けるには、２本のボルトのそれぞれを耕耘爪の基部に設けられた一対の連通孔に挿通するとともに、フランジに設けられた一対の爪取付孔に挿通する。そして、フランジから突出したボルトにナットを螺合してフランジを介して耕耘爪を締め付ける。このナットの螺合操作の際に、ボルトがナットと共回りしないように、ボルト頭部を押さえ付ける必要があり、耕耘爪の取り付け作業の作業性を低下させている。
【０００４】
このような不都合を改良したものが特許文献１に記載の耕耘爪取付装置である。この耕耘爪取付装置６０は、図５（ａ）（側面図）に示すように、両側部に挿通孔６２を有した座金体６１と、これらの挿通孔６２に装着された２本のボルト６５を有してなる。ボルト６５のボルト軸６６の基端側端部にはローレット目を形成したローレット軸部６６ａが設けられ、このローレット軸部６６ａは挿通孔６２の内径よりも僅かに大径である。このため、ローレット軸部６６ａは挿通孔６２に圧入されて挿着される。その結果、２本のボルト６５は、座金体６１に対して一体的に固定される。このため、図５（ｂ）（断面図）に示すように、耕耘爪８５の基部に設けられた一対の連通孔８７からフランジ８１に設けられた一対の各爪取付孔８２に対してボルト６５を挿通してナット４０を螺合して締め付けても、ボルト６５が回ることはなく、また各ボルト頭部６７を押さえる必要もなく、ナット４０をそれぞれのボルトに対して締め付けて耕耘爪８５をフランジ８１に固着することができる。
【０００５】
【特許文献１】特許第３２４７８３５号公報
【発明の開示】
【発明が解決しようとする課題】
【０００６】
この特許文献１に記載の耕耘爪取付装置のボルトは、ボルト軸の基端側にローレット軸部が設けられており、専用品であって市販品をそのまま用いることができない。このため、コストが高いという問題がある。また、ボルトと座金体はローレット軸部を介して一体化されているが、ローレット軸部の外周に形成されたローレット目は座金体の挿通孔に圧入される際に、ローレット目の一部が塑性変形して破断する虞がある。従って、従来の耕耘爪取付装置は、ボルトと座金体との結合強度が弱くなる場合があり、ボルトの回り止め機能に対する信頼性が低いという問題を有する。
【０００７】
本発明は、このような問題を鑑みてなされたものであり、コストが安価であり、ボルトの回り止め機能に対する信頼性の高い耕耘爪締結装置を提供することを目的とする。
【課題を解決するための手段】
【０００８】
上記目的を達成するために本発明の耕耘爪締結装置は、耕耘軸に設けられたフランジに耕耘爪を取り付ける耕耘爪締結装置であって、耕耘爪の基部に設けられた一対の連通孔からフランジに設けられた一対の各爪取付孔に挿通されてナットと螺合して耕耘爪の基部をフランジに固着する２本のボルトと、２本のボルトと一体的に結合される結合板とを備え、該結合板は、両側部にボルトのボルト軸部を挿通する挿通孔を有し、ボルト頭部の座面又は結合板のボルト頭部の座面に対向する対向面に溶接用突起を設け、結合板の挿通孔にボルトのボルト軸部を挿通して、溶接用突起を対向面又はボルト頭部の座面に溶着させて、２本のボルトと結合板とが一体的に結合されていることを特徴とする。
【０００９】
この発明によれば、ボルトと結合板とは、溶着される溶接用突起を介して一体的に結合されるので、ボルトと結合板との結合強度を高めることができると共に、結合強度の信頼性を向上させることができる。また、結合板側に溶接用突起を設けた場合には、市販品のボルトを用いることができ、コストを安価にすることができる。
【００１０】
また本発明は、溶接用突起が、ボルト頭部の対角位置に設けられていることを特徴とする。
【００１１】
この発明によれば、溶接用突起をボルト頭部の対角位置に設けることにより、ボルト軸部からの距離を対辺位置に比べて少しでも大きくすることができるので、ボルトの回り止め方向に対する強度を大きくすることができる。
【００１２】
また本発明は、耕耘軸に設けられたフランジに耕耘爪を取り付ける耕耘爪締結装置であって、耕耘爪の基部に設けられた一対の連通孔からフランジに設けられた一対の各爪取付孔に挿通されてナットと螺合して耕耘爪の基部をフランジに固着する２本のボルトと、２本のボルトと一体的に結合される結合板とを備え、該結合板は、両側部にボルトのボルト軸部を挿通する挿通孔を有し、ボルト頭部の側面に該ボルト頭部の座面に延びる溶接用切り欠き部を設け、結合板の挿通孔にボルトのボルト軸部を挿通し、溶接用切り欠き部と結合板との間をすみ肉溶接して、２本のボルトと結合板とが一体的に結合されていることを特徴とする。
【００１３】
この発明によれば、ボルトと結合板とは、溶接用切り欠き部と結合板との間のすみ肉溶接によって一体的に結合されるので、ボルトと結合板との結合強度を高めることができると共に、結合強度の信頼性を向上させることができる。また、市販のボルトのボルト頭部に溶接用切り欠き部を加工するだけでよいので、コストの上昇を抑制することができる。
【発明の効果】
【００１４】
本発明に係わる耕耘爪締結装置によれば、ボルトと結合板とを溶着される溶接用突起を介して一体的に結合することにより、コストが安価であってボルトの回り止め機能に対する信頼性の高い耕耘爪締結装置を提供することができる。
【発明を実施するための最良の形態】
【００１５】
以下、本発明に係る耕耘爪締結装置について、図１から図４を参照して説明する。耕耘爪締結装置１は、図１に示すように、耕耘軸８０に設けられたフランジ８１に耕耘爪８５を取り付けるためのものであり、耕耘爪８５の基部８６に設けられた一対の連通孔８７，８８からフランジ８１に設けられた一対の各爪取付孔８２，８３に挿通されてナットと螺合して耕耘爪８５の基部８６をフランジ８１に固着する２本のボルト１０と、２本のボルト１０と一体的に結合される結合板３０とを備えてなる。
【００１６】
ボルト１０は、図２（ａ）（側面図）及び（ｂ）（裏面図）に示すように、市販品と同一形状であり、先端部に雄ねじ１１ａを形成したボルト軸部１１と、この基端部に繋がったボルト頭部１３とを有してなる。ボルト頭部１３は六角形状を有して、スパナやメガネレンチの使用を可能にしている。
【００１７】
結合板３０は、両側部にボルト１０のボルト軸部１１を挿通する挿通孔３１を有し、ボルト頭部１３の座面１３ａに対向する対向面３２に溶接用突起３４が設けられている。溶接用突起３４は、これをボルト頭部１３の座面１３ａに圧接させた状態でボルト１０及び結合板３０間に大電流を流すと、溶解してボルト頭部１３の座面１３ａに溶着するいわゆるスポット溶接における接続部として機能する。なお、図面ではボルト頭部１３の座面１３ａに溶着する溶接用突起３４を３つ設けた場合を示したが、溶接用突起３４の数は、接合強度、コスト等との関係を考慮して適宜決められるものである。
【００１８】
結合板３０の挿通孔３１にボルト１０のボルト軸部１１を挿通して、溶接用突起３４をボルト頭部１３の座面１３ａに溶着させると、図２（ｃ）（断面図）に示すように、２本のボルト１０と結合板３０とが一体的に結合された耕耘爪締結装置１が完成する。
【００１９】
次に、この耕耘爪締結装置１を用いて耕耘爪８５を耕耘軸８０に設けられたフランジ８１に固定する方法について説明する。先ず、耕耘爪８５の基部８６をフランジ８１の一対の爪取付孔８２，８３に対向配置して、耕耘爪８５の基部８６に設けられた一対の連通孔８７，８８と一対の爪取付孔８２，８３とを連通させる。そして、耕耘爪締結装置１の２本のボルト１０を一対の連通孔８７，８８から一対の各爪取付孔８２，８３に挿通させる。そして、爪取付孔８２，８３から突出したボルト軸部１１の先端部にナット４０を螺合して、耕耘爪８５の基部８６を締め付けて耕耘爪８５をフランジ８１に固着する。
【００２０】
ここで、結合板３０の両側部にボルト１０が溶着されて結合板３０と一体となって回り止め固定されているので、２本のボルト１０は耕耘爪８５の連通孔８７，８８からフランジ８１の各爪取付孔８２，８３に同時に挿通される。また、この２本のボルト１０にナット４０をそれぞれに強く締め付けてもこの２本のボルト１０が回ることはなく、各ボルトのボルト頭部１３を押さえ付ける必要もないため、フランジ８１に耕耘爪８５を固着する作業時間を大幅に短縮することができる。また、耕耘爪の交換作業のように前述した耕耘ロータがフリーな状態（例えば、ＰＴＯクラッチが切断されて耕耘ロータがフリーに回転できる状態）の方が作業し易いような場合、手作業でナット４０を締め付けようとすると、その反動で耕耘ロータが回転して作業がやり難くまた危険であるが、ボルト頭部１３は六角形状をしているので、スパナやメガネレンチの使用が可能であり、ボルト頭部１３にスパナ等を係合させることで、耕耘ロータの回動を規制することができ、安全に耕耘爪の交換作業を行うことができる。
【００２１】
このようにして、耕耘軸８０のフランジ８１に耕耘爪８５を固着する際には、耕耘爪８５を固着するボルト１０を２本１組として同時に耕耘爪８５の基部８６とフランジ８１に装着でき、ボルト１０を１本ずつ装着する必要がない。このため、フランジ８１に対する耕耘爪８５の装着を簡単な操作で短時間に行うことができる。
【００２２】
またボルト１０は結合板３０に対して溶着によって結合されているので、その結合強度は強いとともに、信頼性も高い。従って、ボルト１０の回り止め機能が低下する事態を未然に防止することができ、その結果、フランジ８１に対する耕耘爪８５の装着作業を常に簡単な操作で行うことができる。
【００２３】
なお、溶接用突起３４は、図３（ａ）（側面図）に示すように、ボルト頭部１３の座面１３ａに設けてもよい。このように、溶接用突起３４をボルト頭部１３の座面１３ａに設けることで、前述した溶接用突起３４を結合板３０に設けた場合と同様に、溶接用突起３４の溶着によって図３（ｃ）（側面図）に示す２本のボルト１０を結合板３０に固着した耕耘爪締結装置１を形成することができ、また前述した図２（ｃ）に示す耕耘爪締結装置１と同様の効果（耕耘爪装着操作の容易化、ボルト１０の回り止め機能の高い信頼性）を得ることができる。
【００２４】
また図４（ａ）（側面図）及び（ｂ）（平面図）に示すように、ボルト頭部１３の側面に座面１３ａに延びる溶接用切り欠き部１４を設け、溶接用切り欠き部１４と結合板３０との間をすみ肉溶接して、２本のボルト１０と結合板３０とを一体的に結合してもよい。このようにすると、前述した図２（ｃ）に示す耕耘爪締結装置１と同様の効果（耕耘爪装着操作の容易化、ボルト１０の回り止めの高い信頼性）を得ることができるとともに、市販品のボルトのボルト頭部に溶接用切り欠き部１４を加工するだけでよいので、コストの上昇を抑制することができる。また、溶接部１６は溶接用切り欠き部１４内に略収まるので、ボルト頭部１３にスパナ等の工具の装着が可能であり、ＰＴＯクラッチが切断されて耕耘ロータがフリーに回転できる状態になっても、耕耘ロータの回動を規制して耕耘爪の装着作業を行うことができる。
【図面の簡単な説明】
【００２５】
【図１】本発明の一実施の形態に係わる耕耘爪締結装置によって耕耘爪をフランジに固着した耕耘ロータの断面図を示す。
【図２】耕耘爪締結装置を示し、同図（ａ）は未完成状態の耕耘爪締結装置の側面図であり、同図（ｂ）は耕耘爪締結装置の裏面図であり、同図（ｃ）は完成状態の耕耘爪締結装置の断面図である。
【図３】他の耕耘爪締結装置を示し、同図（ａ）は未完成状態の他の耕耘爪締結装置の側面図であり、同図（ｂ）は他の耕耘爪締結装置の裏面図であり、同図（ｃ）は完成状態の他の耕耘爪締結装置の側面図である。
【図４】他の耕耘爪締結装置を示し、同図（ａ）は他の耕耘爪締結装置の側面図であり、同図（ｂ）は他の耕耘爪締結装置の平面図である。
【図５】従来の耕耘爪締結装置を示し、同図（ａ）は従来の耕耘爪締結装置の側面図であり、同図（ｂ）は従来の耕耘爪締結装置の断面図である。
【符号の説明】
【００２６】
１  耕耘爪締結装置
１０  ボルト
１１  ボルト軸部
１３  ボルト頭部
１３ａ  座面
１４  溶接用切り欠き部
３０  結合板
３１  挿通孔
３２  対向面
３４  溶接用突起
４０  ナット
８０  耕耘軸
８１  フランジ
８２，８３  爪取付孔
８５  耕耘爪
８６  基部
８７，８８  連通孔
【図１】
2006230306.tif 000003
【図２】
2006230306.tif 000004
【図３】
2006230306.tif 000005
【図４】
2006230306.tif 000006
【図５】
2006230306.tif 000007